(57)【要約】【課題】本発明は、複数のスライス画像を同時取得することが可能であり、しかもそれらのスライス画像の高さ関係を変更することのできる共焦点顕微鏡を提供する。【解決手段】共焦点顕微鏡は、点光源（２３１）を形成する点光源形成光学系（２４）と、前記点光源から射出した照明光を試料上に集光する集光光学系（２５，２６）と、前記照明光に応じて前記試料から射出し前記集光光学系へ入射した観察光を、前記照明光の集光点と共役な位置に配置された共焦点絞り部（２８０）を介して検出器（５７）で検出する検出光学系（２４，２７，５７）とを備え、前記点光源形成光学系と前記検出光学系とからなる照明検出ユニット（１００）は、前記集光光学系の光軸方向に亘って複数化されており、複数の前記照明検出ユニット（１００Ａ，１００Ｂ，１００Ｃ）は、前記点光源と前記共焦点絞り部との光学的関係を個々のユニット内で保持しつつ、前記点光源から前記集光光学系までの光学的距離をユニット毎に調節することが可能であることを特徴とする。【選択図】      図１
2009198980.tif 000002
【特許請求の範囲】
【請求項１】
点光源を形成する点光源形成光学系と、
前記点光源から射出した照明光を試料上に集光する集光光学系と、
前記照明光に応じて前記試料から射出し前記集光光学系へ入射した観察光を、前記照明光の集光点と共役な位置に配置された共焦点絞り部を介して検出器で検出する検出光学系とを備え、
前記点光源形成光学系と前記検出光学系とからなる照明検出ユニットは、前記集光光学系の光軸方向に亘って複数化されており、
複数の前記照明検出ユニットは、前記点光源と前記共焦点絞り部との光学的関係を個々のユニット内で保持しつつ、前記点光源から前記集光光学系までの光学的距離をユニット毎に調節することが可能である
ことを特徴とする共焦点顕微鏡。
【請求項２】
請求項１に記載の共焦点顕微鏡において、
複数の前記照明検出ユニットは、
前記集光光学系の光軸と垂直な方向の光学的な位置関係をユニット間でずらしている
ことを特徴とする共焦点顕微鏡。
【請求項３】
請求項１又は請求項２に記載の共焦点顕微鏡において、
前記点光源形成光学系は、
光源と、前記光源から射出した照明光を集光する照明光学系と、前記照明光の集光点近傍に配置され、その照明光を偏向する微小偏向素子とを有し、
前記照明光学系内には、前記照明光と前記観察光とを分離する分離素子が配置され、
前記微小偏向素子から前記分離素子までの光路は、前記照明光学系及び前記検出光学系の共有光路である
ことを特徴とする共焦点顕微鏡。
【請求項４】
請求項３に記載の共焦点顕微鏡において、
少なくとも１つの前記照明検出ユニットでは、
前記微小偏向素子の配置箇所と前記集光点の形成箇所とが一致しており、その微小偏向素子が前記共焦点絞り部を兼ねる
ことを特徴とする共焦点顕微鏡。
【請求項５】
請求項１又は請求項２に記載の共焦点顕微鏡において、
前記点光源形成光学系は、
光源と、前記光源から射出した照明光を集光する照明光学系と、前記照明光の集光点近傍に一端を配置すると共にその照明光を導入して他端に前記点光源を形成するファイバとを有し、
前記照明光学系内には、前記照明光と前記観察光とを分離する分離素子が配置され、
前記ファイバの他端から前記分離素子までの光路は、前記照明光学系及び前記検出光学系の共有光路であり、
前記ファイバの他端が前記共焦点絞り部である
ことを特徴とする共焦点顕微鏡。
【請求項６】
試料を照明するための照明光を前記試料から離れた位置に集光する照明光学系と、
前記照明光学系による前記照明光の集光点の近傍に配置され、その照明光を偏向する微小偏向素子と、
前記微小偏向素子で偏向した照明光を前記試料上に集光する集光光学系と、
前記照明光学系の光路中に配置され、前記照明光に応じて前記試料から射出した観察光を前記照明光から分離する分離素子と、
前記分離素子が分離した観察光を検出する検出器と、
前記微小偏向素子から前記検出器までの光路中に、前記集光点と光学的に共役な関係で配置された共焦点絞りとを備え、
前記照明光学系、前記微小偏向素子、前記分離素子、前記検出器、前記共焦点絞りからなる照明検出ユニットは、前記集光光学系の光軸方向に亘って複数化されており、
複数の前記照明検出ユニットは、少なくとも前記集光点と前記微小偏向素子と前記共焦点絞りとの光学的関係を個々のユニット内で保持しつつ、前記集光点から前記集光光学系までの光学的距離をユニット毎に調節することが可能である
ことを特徴とする共焦点顕微鏡。
【請求項７】
試料を照明するための照明光を前記試料から離れた位置に集光する照明光学系と、
前記照明光学系による前記照明光の集光点の近傍に一端を配置すると共にその照明光を導入するファイバと、
前記ファイバの他端から射出する照明光を前記試料上に集光する集光光学系と、
前記照明光学系の光路中に配置され、前記照明光に応じて前記試料から射出した観察光を前記照明光から分離する分離素子と、
前記分離素子が分離した観察光を検出する検出器とを備え、
前記照明光学系、前記ファイバ、前記分離素子、前記検出器からなる照明検出ユニットは、前記集光光学系の光軸方向に亘って複数化されており、
複数の前記照明検出ユニットは、少なくとも前記集光点と前記ファイバの一端との光学的関係を個々のユニット内で保持しつつ、前記ファイバの他端から前記集光光学系までの光学的距離をユニット毎に調節することが可能である
ことを特徴とする共焦点顕微鏡。
【請求項８】
請求項１〜請求項７の何れか一項に記載の共焦点顕微鏡において、
前記集光光学系には、前記照明光のスポットで前記試料上を二次元走査する光走査手段が備えられる
ことを特徴とする共焦点顕微鏡。
【発明の詳細な説明】
【技術分野】
【０００１】
本発明は、複数のスライス画像を同時に取得することのできる共焦点顕微鏡に関する。
【背景技術】
【０００２】
共焦点顕微鏡は、生体標本などの試料上に集光レンズで照明光を集光し、試料上に形成されたスポットからの光束を共焦点絞り面に集光し、共焦点絞りを通過した光の光量を検出器で検出するものである。そのスポットで試料上を二次元走査しながら検出を行えば、試料のイメージングを行うこともできる。
【０００３】
共焦点絞りは、試料の中で集光レンズの集光面と同じ高さから射出した光線を通過し、それ以外の光線をカットする。したがって、試料上の特定の高さに位置する薄い層の画像（スライス画像）のみに観察対象を制限（セクショニング）することができる。
【０００４】
さらに試料の三次元的な構造や動きを解明するには、複数のスライス画像を同時に取得すればよい。複数のスライス画像を同時取得する方法は、特許文献１に開示されている。
【特許文献１】特表２００１−５１１９０２号公報
【発明の開示】
【発明が解決しようとする課題】
【０００５】
しかしながら特許文献１の装置は、複数のスライス画像の高さ関係を変更することができないので、観察目的の多様化に対処できない。
【０００６】
そこで本発明は、複数のスライス画像を同時取得することが可能であり、しかもそれらのスライス画像の高さ関係を自在に変更することのできる共焦点顕微鏡を提供することを目的とする。
【課題を解決するための手段】
【０００７】
本発明の共焦点顕微鏡は、点光源を形成する点光源形成光学系と、前記点光源から射出した照明光を試料上に集光する集光光学系と、前記照明光に応じて前記試料から射出し前記集光光学系へ入射した観察光を、前記照明光の集光点と共役な位置に配置された共焦点絞り部を介して検出器で検出する検出光学系と、を備え、前記点光源形成光学系と前記検出光学系とからなる照明検出ユニットは、前記集光光学系の光軸方向に亘って複数化されており、複数の前記照明検出ユニットは、前記点光源と前記共焦点絞り部との光学的関係を個々のユニット内で保持しつつ、前記点光源から前記集光光学系までの光学的距離をユニット毎に調節することが可能であることを特徴とする。
【０００８】
なお、複数の前記照明検出ユニットは、前記集光光学系の光軸と垂直な方向の光学的な位置関係をユニット間でずらしていてもよい。
【０００９】
また、前記点光源形成光学系は、光源と、前記光源から射出した照明光を集光する照明光学系と、前記照明光の集光点近傍に配置され、その照明光を偏向する微小偏向素子とを有し、前記照明光学系内には、前記照明光と前記観察光とを分離する分離素子が配置され、前記微小偏向素子から前記分離素子までの光路は、前記照明光学系及び前記検出光学系の共有光路であってもよい。
【００１０】
また、少なくとも１つの前記照明検出ユニットでは、前記微小偏向素子の配置箇所と前記集光点の形成箇所とが一致しており、その微小偏向素子が前記共焦点絞り部を兼ねてもよい。
【００１１】
また、前記点光源形成光学系は、光源と、前記光源から射出した照明光を集光する照明光学系と、前記照明光の集光点近傍に一端を配置すると共にその照明光を導入して他端に前記点光源を形成するファイバとを有し、前記照明光学系内には、前記照明光と前記観察光とを分離する分離素子が配置され、前記ファイバの他端から前記分離素子までの光路は、前記照明光学系及び前記検出光学系の共有光路であり、前記ファイバの他端が前記共焦点絞り部であってもよい。
【００１２】
また、本発明の共焦点顕微鏡は、試料を照明するための照明光を前記試料から離れた位置に集光する照明光学系と、前記照明光学系による前記照明光の集光点の近傍に配置され、その照明光を偏向する微小偏向素子と、前記微小偏向素子で偏向した照明光を前記試料上に集光する集光光学系と、前記照明光学系の光路中に配置され、前記照明光に応じて前記試料から射出した観察光を前記照明光から分離する分離素子と、前記分離素子が分離した観察光を検出する検出器と、前記微小偏向素子から前記検出器までの光路中に、前記集光点と光学的に共役な関係で配置された共焦点絞りとを備え、前記照明光学系、前記微小偏向素子、前記分離素子、前記検出器、前記共焦点絞りからなる照明検出ユニットは、前記集光光学系の光軸方向に亘って複数化されており、複数の前記照明検出ユニットは、少なくとも前記集光点と前記微小偏向素子と前記共焦点絞りとの光学的関係を個々のユニット内で保持しつつ、前記集光点から前記集光光学系までの光学的距離をユニット毎に調節することが可能であることを特徴とする。
【００１３】
また、本発明の共焦点顕微鏡は、試料を照明するための照明光を前記試料から離れた位置に集光する照明光学系と、前記照明光学系による前記照明光の集光点の近傍に一端を配置すると共にその照明光を導入するファイバと、前記ファイバの他端から射出する照明光を前記試料上に集光する集光光学系と、前記照明光学系の光路中に配置され、前記照明光に応じて前記試料から射出した観察光を前記照明光から分離する分離素子と、前記分離素子が分離した観察光を検出する検出器とを備え、前記照明光学系、前記ファイバ、前記分離素子、前記検出器からなる照明検出ユニットは、前記集光光学系の光軸方向に亘って複数化されており、複数の前記照明検出ユニットは、少なくとも前記集光点と前記ファイバの一端との光学的関係を個々のユニット内で保持しつつ、前記ファイバの他端から前記集光光学系までの光学的距離をユニット毎に調節することが可能であることを特徴とする。
【００１４】
なお、前記集光光学系には、前記照明光のスポットで前記試料上を二次元走査する光走査手段が備えられてもよい。
【発明の効果】
【００１５】
本発明によれば、複数のスライス画像を同時取得することが可能であり、しかもそれらのスライス画像の高さ関係を自在に変更することのできる共焦点顕微鏡が実現する。
【発明を実施するための最良の形態】
【００１６】
［第１実施形態］
以下、本発明の第１実施形態を説明する。本実施形態は、共焦点レーザ走査型蛍光顕微鏡システムの実施形態である。
【００１７】
先ず、本実施形態の顕微鏡システムの構成を説明する。図１は、本実施形態の顕微鏡システムの構成図である。図１に示すとおり本実施形態の顕微鏡システムには、３つの照明検出ユニット１００Ａ，１００Ｂ，１００Ｃ、集光レンズ２５、二次元の光スキャナ２９、対物レンズ２６、不図示の制御ユニット、不図示のステージなどが備えられる。
【００１８】
不図示ステージには、蛍光色素により予め染色された標本Ｓがセットされる。集光レンズ２５及び対物レンズ２６からなる光学系は、その標本Ｓ上に照明光を集光する役割と、標本Ｓから射出する蛍光又は反射光（以下、蛍光のみ記述。）を結像する役割とを担う。なお、その光学系の結像倍率は例えば６０倍に設定されている。
【００１９】
３つの照明検出ユニット１００Ａ，１００Ｂ，１００Ｃは、集光レンズ２５の光軸方向（図１のＸ方向）に適当な間隔（例えば１０ｍｍ程度の間隔）で配置されている。その配置順序は、集光レンズ２５の側から順に、照明検出ユニット１００Ａ，１００Ｂ，１００Ｃの順序である。
【００２０】
照明検出ユニット１００Ａは、標本Ｓのうち対物レンズ２６から最も離れた観察対象面ａを観察するための照明検出ユニットであり、照明検出ユニット１００Ｂは、標本Ｓのうち観察対象面ａよりも対物レンズ２６に近い観察対象面ｂを観察するための照明検出ユニットであり、照明検出ユニット１００Ｃは、標本Ｓのうち観察対象面ｂよりも対物レンズ２６に近い観察対象面ｃを観察するための照明検出ユニットである。観察対象面ａ，ｂ，ｃの詳細は後述する。
【００２１】
図２（１）は、照明検出ユニット１００Ｃを図１のＸ方向から見た図であり、図２（２）は、照明検出ユニット１００Ｂを図１のＸ方向から見た図であり、図２（３）は、照明検出ユニット１００Ａを図１のＸ方向から見た図である。
【００２２】
図２（１），（２），（３）に示すとおり、照明検出ユニット１００Ａの構成と、照明検出ユニット１００Ｂの構成と、照明検出ユニット１００Ｃの構成とは、互いに同じである。よって、図２では互いに同じ要素に同じ番号を付与し、その番号の後ろに照明検出ユニットの識別符号（符号Ａ，Ｂ，Ｃの何れか）を付与した。
【００２３】
以下、照明検出ユニット１００Ａ（図２（３））を詳しく説明する。図２（３）に示すとおり照明検出ユニット１００Ａには、レーザ光源１１Ａと、集光レンズ２１Ａと、ダイクロイックミラー２２Ａと、集光レンズ２４Ａと、微小偏向ミラー２３０Ａを設けた透明基板２３Ａと、集光レンズ２７Ａと、開口部２８０Ａの径が可変の共焦点絞り２８Ａと、光電子増倍管（ＰＭＴ）５７Ａとが備えられる。このうちレーザ光源１１Ａは、前述した蛍光色素の励起光（例えば波長４０５ｎｍの光）となるべきレーザ光を発光する光源であり、透明基板２３Ａは、少なくともその蛍光色素の蛍光波長（例えば波長４３０ｎｍ〜４７０ｎｍ）に対して透明な基板である。
【００２４】
レーザ光源１１Ａから射出したレーザ光ＬＡは、集光レンズ２１Ａにより平行光束となり、ダイクロイックミラー２２Ａへ入射する。ダイクロイックミラー２２Ａへ入射したレーザ光ＬＡは、そのダイクロイックミラー２２Ａを反射し、集光レンズ２４Ａへ向かう。集光レンズ２４Ａに入射したレーザ光ＬＡは、集光しながら透明基板２３Ａに向かい、そこに設けられた微小偏向ミラー２３０Ａの近傍に集光する。よって、微小偏向ミラー２３０Ａの近傍には、レーザ光源１１Ａの発光点１１０Ａの像（二次点光源）２３１Ａが形成される。
【００２５】
なお、微小偏向ミラー２３０Ａのサイズは、レーザ光ＬＡが透明基板２３Ａ上に形成するスポットのサイズ（例えば径３０μｍ〜５０μｍ）の２〜５倍程度に設定される。よって、微小偏向ミラー２３０Ａは、小さいながらもレーザ光ＬＡを確実に偏向できる。
【００２６】
図１に示すとおり、微小偏向ミラー２３０Ａで偏向したレーザ光ＬＡは、発散しながら集光レンズ２５へ向かう。集光レンズ２５へ入射したレーザ光ＬＡは、平行光束となって光スキャナ２９へ入射する。光スキャナ２９へ入射したレーザ光ＬＡは、光スキャナ２９内の２つの可動ミラーで順に反射してから光スキャナ２９を射出し、対物レンズ２６へ向かう。対物レンズ２６に入射したレーザ光ＬＡは、標本Ｓ中の１点に向けて集光する。なお、その集光点１０Ａは、二次点光源２３１Ａと光学的に共役である。
【００２７】
この状態で光スキャナ２９が駆動されると、光スキャナ２９内の２つの可動ミラーの角度がそれぞれ所定のパターンで変化し、レーザ光ＬＡが標本Ｓ上に形成するスポット（集光点１０Ａを含むレーザ光ＬＡの照射領域）は、標本Ｓ上を二次元走査する。このときに集光点１０Ａの描く面が、照明検出ユニット１００Ａの観察対象面ａである。
【００２８】
標本Ｓのうち、レーザ光ＬＡのスポットでは蛍光色素が励起され、レーザ光ＬＡの波長よりも長い波長の蛍光を発する。その蛍光は、レーザ光ＬＡの光路を逆方向に進行しながら対物レンズ２６へ入射する。対物レンズ２６に入射した蛍光は、光スキャナ２９、集光レンズ２５を介して集光しながら照明検出ユニット１００Ａへ入射する。
【００２９】
照明検出ユニット１００Ａへ入射した蛍光のうち、特に、観察対象面ａ及びその近傍面からの光線（蛍光ＬＡ’）は、微小偏向ミラー２３０Ａの近傍に集光する。
【００３０】
なお、蛍光ＬＡ’が透明基板２３Ａ上に形成するスポットのサイズは、レーザ光ＬＡが透明基板２３Ａ上に形成するスポットのサイズよりも若干大きくなるが、微小偏向ミラー２３０Ａのサイズは、後者（レーザ光ＬＡによるスポット）のサイズの２倍以上に設定されているので、蛍光ＬＡ’は微小偏向ミラー２３０Ａへ確実に入射できる。
【００３１】
微小偏向ミラー２３０Ａへ入射した蛍光ＬＡ’は、微小偏向ミラー２３０Ａで反射し、発散しながら集光レンズ２４Ａへ向かう。集光レンズ２４Ａに入射した蛍光ＬＡ’は、平行光束となってダイクロイックミラー２２Ａへ向かう。その蛍光ＬＡ’はダイクロイックミラー２２Ａを透過し、集光レンズ２７Ａへ向かう。集光レンズ２７Ａに入射した蛍光ＬＡ’は、共焦点絞り２８Ａの開口部２８０Ａの近傍に集光する。
【００３２】
ここで、共焦点絞り２８Ａの開口部２８０Ａは、二次点光源２３１Ａと光学的に共役な関係で配置されている。したがって、開口部２８０Ａの近傍へ入射する蛍光ＬＡ’のうち、観察対象面ａからの光線は、開口部２８０Ａの中央で集光する。一方、観察対象面ａからずれた位置からの光線は、開口部２８０Ａの手前又は奥側で集光するので、開口部２８０Ａ上では広がり、遮光される。そして、開口部２８０Ａに入射した光線（蛍光ＬＡ”）は光電子倍増管５７Ａへ向かい電気信号に変換される。これによって、照明検出ユニット１００Ａにセクショニング機能が付与される。
【００３３】
不図示の制御ユニットは、光スキャナ２９を駆動して前述した二次元走査を行いつつ、その走査期間中に光電子増倍管５７Ａから電気信号を繰り返し取り込む。これによって、標本Ｓのうち、蛍光ＬＡ”の射出元となった層ａ”の画像（スライス画像）が取得される。以下、その層ａ”を、「観察対象層ａ”」と称す。
【００３４】
ここで、以上の構成の照明検出ユニット１００Ａは、集光レンズ２５の光軸方向（図１のＸ方向）へ移動可能である。照明出ユニット１００Ａがその方向へ移動すると、標本Ｓにおける観察対象層ａ”の高さも変化する。
【００３５】
このとき、照明検出ユニット１００Ａは、その内部で各要素の位置関係を保持する。よって、微小偏向ミラー２３０Ａと二次点光源２３１Ａと共焦点絞り２８Ａとの光学的関係は、移動の前後で保たれる。
【００３６】
したがって、照明検出ユニット１００Ａによれば、セクショニング効果を損なうことなく観察対象層ａ”の高さを調節することができる。
【００３７】
なお、観察対象層ａ”の厚さ（セクショニング分解能）は、開口部２８０Ａのサイズ調節により調節することができる。
【００３８】
次に、照明検出ユニット１００Ｂ（図２（２））を詳しく説明する。前述したとおり、照明検出ユニット１００Ｂの構成は、照明検出ユニット１００Ａの構成と同じである。ここでは、微小偏向ミラー２３０Ｂのサイズや、レーザ光源１１Ｂの波長についても、照明検出ユニット１００Ａ内の微小偏向ミラー２３０Ｂのサイズ、レーザ光源１１Ａの波長と同じにする。よって、レーザ光源１１Ｂから射出したレーザ光ＬＢは、集光レンズ２１Ｂ、ダイクロイックミラー２２Ｂ、集光レンズ２４Ｂを介し、微小偏向ミラー２３０Ｂの近傍に二次点光源２３１Ａと同じサイズの二次点光源２３１Ｂを形成する。
【００３９】
図１に示すとおり、微小偏向ミラー２３０Ｂに入射したレーザ光ＬＢは、微小偏向ミラー２３０Ｂにより偏向し、発散しながら照明検出ユニット１００Ａの透明基板２３Ａへ向かう。
【００４０】
なお、透明基板２３Ａに設けられた微小偏向ミラー２３０Ａのサイズは、前述したとおり、レーザ光ＬＡが透明基板２３Ａ上に形成するスポットのサイズの５倍以下に設定されるので、レーザ光ＬＢの多くの光線は、微小偏向ミラー２３０Ａによって蹴られることなく透明基板２３Ａを通過できる。
【００４１】
透明基板２３Ａを通過したレーザ光ＬＢは、集光レンズ２５、光スキャナ２９、対物レンズ２６を介して、標本Ｓ中の１点に向けて集光する。その集光点１０Ｂは、二次点光源２３１Ｂと光学的に共役である。
【００４２】
この状態で光スキャナ２９が駆動されると、レーザ光ＬＢが標本Ｓ上に形成するスポットは、標本Ｓ上を二次元走査する。このときに集光点１０Ｂの描く面が、照明検出ユニット１００Ｂの観察対象面ｂである。この観察対象面ｂは、照明検出ユニット１００Ａの観察対象面ａよりも対物レンズ２６側に位置する。
【００４３】
標本Ｓのうち、レーザ光ＬＢのスポットでは蛍光色素が励起され、レーザ光ＬＢの波長よりも長い波長の蛍光を発する。その蛍光は、レーザ光ＬＢの光路を逆方向に進行しながら対物レンズ２６、光スキャナ２９、集光レンズ２５を介して照明検出ユニット１００Ａの透明基板２３Ａへ入射する。
【００４４】
その蛍光のうち、特に、観察対象面ｂ及びその近傍面からの蛍光ＬＢ’の多くの光線は、透明基板２３Ａを通過し、照明検出ユニット１００Ｂの微小偏向ミラー２３０Ｂの近傍に集光する。
【００４５】
なお、蛍光ＬＢ’の一部の光線は、照明検出ユニット１００Ａの微小偏向ミラー２３０Ａによって蹴られるが、微小偏向ミラー２３０Ａのサイズは、レーザ光ＬＡが透明基板２３Ａ上に形成するスポットのサイズの５倍以下に設定されているので、蛍光ＬＢ’の殆どは、微小偏向ミラー２３０Ａによって蹴られないとみなせる。
【００４６】
また、蛍光ＬＢ’が透明基板２３Ｂ上に形成するスポットのサイズは、レーザ光ＬＢが透明基板２３Ｂ上に形成するスポットのサイズよりも若干大きくなるが、微小偏向ミラー２３０Ｂのサイズは、後者（レーザ光ＬＢによるスポット）のサイズの２倍以上に設定されているので、蛍光ＬＢ’は微小偏向ミラー２３０Ｂへ確実に入射できる。
【００４７】
微小偏向ミラー２３０Ｂへ入射した蛍光ＬＢ’は、集光レンズ２４Ｂ、ダイクロイックミラー２２Ｂ、集光レンズ２７Ｂを介して共焦点絞り２８Ｂの開口部２８０Ｂの近傍に集光する。
【００４８】
ここで、共焦点絞り２８Ｂの開口部２８０Ｂは、二次点光源２３１Ｂと光学的に共役な関係で配置されている。したがって、開口部２８０Ｂの近傍へ入射する蛍光ＬＢ’のうち、観察対象面ｂからの光線は、開口部２８０Ｂの中央で集光する。一方、観察対象面ｂからずれた位置からの光線は、開口部２８０Ｂの手前又は奧側で集光するので、開口部２８０Ｂ上では広がり、遮光される。そして、開口部２８０Ｂに入射した光線（蛍光ＬＢ”）は光電子倍増管５７Ｂへ向かい電気信号に変換される。これによって、照明検出ユニット１００Ｂにセクショニング機能が付与される。
【００４９】
不図示の制御ユニットは、照明検出ユニット１００Ａの光電子増倍管５７Ａから電気信号を取り込むのと並行して、照明検出ユニット１００Ｂの光電子増倍管５７Ｂからも電気信号取り込む。したがって、不図示の制御ユニットは、前述した観察対象層ａのスライス画像と同時に、蛍光ＬＢ”の射出元となった層ｂ”の画像（スライス画像）を取得することができる。以下、その層ｂ”を、「観察対象層ｂ”」と称す。
【００５０】
ここで、以上の構成の照明検出ユニット１００Ｂは、集光レンズ２５の光軸方向（図１のＸ方向）へ移動可能である。照明検出ユニット１００Ｂがその方向へ移動すると、標本Ｓにおける観察対象層ｂ”の高さも変化する。
【００５１】
このとき、照明検出ユニット１００Ｂは、その内部で各要素の位置関係を保持する。よって、微小偏向ミラー２３０Ｂと二次点光源２３１Ｂと共焦点絞り２８Ｂとの光学的関係は、移動の前後で保たれる。
【００５２】
したがって、照明検出ユニット１００Ｂによれば、セクショニング効果を損なうことなく観察対象層ｂ”の高さを調節することができる。
【００５３】
なお、観察対象層ｂ”の厚さ（セクショニング分解能）は、開口部２８０Ｂのサイズ調節により調節することができる。因みに、観察対象層ｂ”の厚さは、観察対象層ａ”の厚さとは異なる値に設定されてもよい。
【００５４】
次に、照明検出ユニット１００Ｃ（図２（１））を詳しく説明する。前述したとおり、照明検出ユニット１００Ｃの構成は、照明検出ユニット１００Ａの構成と同じである。ここでは、微小偏向ミラー２３０Ｃのサイズや、レーザ光源１１Ｃの波長についても、照明検出ユニット１００Ａ内の微小偏向ミラー２３０Ａのサイズ、レーザ光源１１Ａの波長と同じにする。よって、レーザ光源１１Ｃから射出したレーザ光ＬＣは、集光レンズ２１Ｃ、ダイクロイックミラー２２Ｃ、集光レンズ２４Ｃを介し、微小偏向ミラー２３０Ｃの近傍に二次点光源２３１Ａと同じサイズの二次点光源２３１Ｃを形成する。
【００５５】
図１に示すとおり、微小偏向ミラー２３０Ｃに入射したレーザ光ＬＣは、微小偏向ミラー２３０Ｃにより偏向し、発散しながら照明検出ユニット１００Ｂの透明基板２３Ｂへ向かう。
【００５６】
なお、透明基板２３Ｂに設けられた微小偏向ミラー２３０Ｂのサイズは、前述したとおり、レーザ光ＬＢが透明基板２３Ｂ上に形成するスポットのサイズの５倍以下に設定されるので、レーザ光ＬＣの多くの光線は、微小偏向ミラー２３０Ｂによって蹴られることなく透明基板２３Ｂを通過できる。
【００５７】
透明基板２３Ｂを通過したレーザ光ＬＣは、照明検出ユニット１００Ａの透明基板２３Ａへ向かう。
【００５８】
なお、透明基板２３Ａに設けられた微小偏向ミラー２３０Ａのサイズは、透明基板２３Ｂに設けられた微小偏向ミラー２３０Ｂのサイズと等しいので、そのレーザ光ＬＣは、微小偏向ミラー２３０Ａによって蹴られることなく透明基板２３Ａを通過できる。
【００５９】
透明基板２３Ａを通過したレーザ光ＬＣは、集光レンズ２５、光スキャナ２９、対物レンズ２６を介して、標本Ｓ中の１点に向けて集光する。その集光点１０Ｃは、二次点光源２３１Ｃと光学的に共役である。
【００６０】
この状態で光スキャナ２９が駆動されると、レーザ光ＬＣが標本Ｓ上に形成するスポットは、標本Ｓ上を二次元走査する。このときに集光点１０Ｃの描く面が、照明検出ユニット１００Ｃの観察対象面ｃである。この観察対象面ｃは、照明検出ユニット１００Ｂの観察対象面ｂよりも対物レンズ２６側に位置する。
【００６１】
標本Ｓのうち、レーザ光ＬＣのスポットでは蛍光色素が励起され、レーザ光ＬＣの波長よりも長い波長の蛍光を発する。その蛍光は、レーザ光ＬＣの光路を逆方向に進行しながら対物レンズ２６、光スキャナ２９、集光レンズ２５を介して照明検出ユニット１００Ａの透明基板２３Ａへ入射する。
【００６２】
その蛍光のうち、特に、観察対象面ｃ及びその近傍面からの蛍光ＬＣ’の多くの光線は、透明基板２３Ａを通過し、さらに照明検出ユニット１００Ｂの透明基板２３Ｂを通過し、照明検出ユニット１００Ｃの微小偏向ミラー２３０Ｃの近傍に集光する。
【００６３】
なお、蛍光ＬＣ’の一部の光線は、照明検出ユニット１００Ａの微小偏向ミラー２３０Ａによって蹴られるが、微小偏向ミラー２３０Ａのサイズは、レーザ光ＬＡが透明基板２３Ａ上に形成するスポットのサイズの５倍以下に設定されているので、蛍光ＬＣ’の殆どは、微小偏向ミラー２３０Ａによって蹴られないとみなせる。また、微小偏向ミラー２３０Ｂのサイズは、微小偏向ミラー２３０Ａのサイズと等しいので、透明基板２３Ｂへ入射した蛍光ＬＣ’は、微小偏向ミラー２３０Ｂによって蹴られることは無い。
【００６４】
また、蛍光ＬＣ’が透明基板２３Ｃ上に形成するスポットのサイズは、レーザ光ＬＣが透明基板２３Ｃ上に形成するスポットのサイズよりも若干大きくなるが、微小偏向ミラー２３０Ｃのサイズは、後者（レーザ光ＬＣによるスポット）のサイズの２倍以上に設定されているので、蛍光ＬＣ’は微小偏向ミラー２３０Ｃへ確実に入射できる。
【００６５】
微小偏向ミラー２３０Ｃへ入射した蛍光ＬＣ’は、集光レンズ２４Ｃ、ダイクロイックミラー２２Ｃ、集光レンズ２７Ｃを介して共焦点絞り２８Ｃの開口部２８０Ｃの近傍に集光する。
【００６６】
ここで、共焦点絞り２８Ｃの開口部２８０Ｃは、二次点光源２３１Ｃと光学的に共役な関係で配置されている。したがって、開口部２８０Ｃの近傍へ入射する蛍光ＬＣ’のうち、観察対象面ｃからの光線は、開口部２８０Ｃの中央で集光する。一方、観察対象面ｃからずれた位置からの光線は、開口部２８０Ｃの手前又は奧側で集光するので、開口部２８０Ｃ上では広がり、遮光される。そして、開口部２８０Ｃに入射した光線（蛍光ＬＣ”）は光電子倍増管５７Ｃへ向かい電気信号に変換される。これによって、照明検出ユニット１００Ｃにセクショニング機能が付与される。
【００６７】
不図示の制御ユニットは、照明検出ユニット１００Ａの光電子増倍管５７Ａ、及び照明検出ユニット１００Ｂの光電子増倍管５７Ｂから電気信号を取り込むのと並行して、照明検出ユニット１００Ｃの光電子増倍管５７Ｃからも電気信号取り込む。したがって、不図示の制御ユニットは、前述した観察対象層ａ，ｂのスライス画像と同時に、蛍光ＬＣ”の射出元となった層ｃ”の画像（スライス画像）を取得することができる。以下、その層ｃ”を、「観察対象層ｃ”」と称す。
【００６８】
ここで、以上の照明検出ユニット１００Ｃは、集光レンズ２５の光軸方向（図１のＸ方向）へ移動可能である。照明検出ユニット１００Ｃがその方向へ移動すると、標本Ｓにおける観察対象層ｃ”の高さも変化する。
【００６９】
このとき、照明検出ユニット１００Ｃは、その内部で各要素の位置関係を保持する。よって、微小偏向ミラー２３０Ｃと二次点光源２３１Ｃと共焦点絞り２８Ｃとの光学的関係は、移動の前後で保たれる。
【００７０】
したがって、照明検出ユニット１００Ｃによれば、セクショニング効果を損なうことなく観察対象層ｃ”の高さを調節することができる。
【００７１】
なお、観察対象層ｃ”の厚さ（セクショニング分解能）は、開口部２８０Ｃのサイズ調節により調節することができる。因みに、観察対象層ｃ”の厚さは、観察対象層ａ”又は観察対象層ｂ”の厚さとは異なる値に設定されてもよい。
【００７２】
以上、本実施形態の共焦点レーザ走査型蛍光顕微鏡システムは、複数の照明検出ユニット（照明検出ユニット１００Ａ，１００Ｂ，１００Ｃ）を集光レンズ２５の光軸方向に配列しているので、複数の観察対象層（観察対象層ａ”，ｂ”，ｃ”）のスライス画像を同時に取得することができる。
【００７３】
しかも、複数の照明検出ユニット（照明検出ユニット１００Ａ，１００Ｂ，１００Ｃ）は、微小偏向ミラーと二次点光源と共焦点絞りとの光学的関係を個々のユニット内で維持しながら、光軸方向の位置関係をユニット間で調節することができる。
【００７４】
したがって、本実施形態の共焦点レーザ走査型蛍光顕微鏡システムによれば、複数の観察対象層（観察対象層ａ”，ｂ”，ｃ”）の高さ関係を、セクショニング効果を損なわずに調節することができる。
【００７５】
［第１実施形態の変形例］
第１実施形態では、集光レンズ２５から最も離れた照明検出ユニット１００Ｃの構成を、他の照明検出ユニット１００Ａ、１００Ｂの構成と同じとしたが、照明検出ユニット１００Ｃは、その背後に蛍光を通過させる必要が無いので、微小偏向ミラー２３０Ｃを設けた透明基板２３Ｃの代わりに、通常サイズの偏向ミラーを使用してもよい。或いは、照明検出ユニット１００Ｃについては、偏向ミラーの搭載自体を省略してもよい。但し、その場合、焦点検出ユニット１００Ｃの配置姿勢は、図１に示した姿勢から９０°だけ左回転させたものとなる。
【００７６】
また、第１実施形態では、照明検出ユニット１００Ａ，１００Ｂ，１００Ｃの全てを可動としたが、そのうち１つを非可動としてもよい。その場合、観察対象層ａ”，ｂ”，ｃ”の全体の位置をシフトさせることはできないものの、観察対象層ａ”，ｂ”，ｃ”の位置関係については上述したものと同様に調整することができる。
【００７７】
また、第１実施形態では、照明検出ユニット１００Ａ，１００Ｂ，１００ＣのＺＹ方向（集光レンズ２５の光軸と垂直な方向）の位置を揃えたが、例えば図３に示すように、Ｙ方向の位置を微小距離ずつずらしてもよい。この場合の照明検出ユニット１００Ａ，１００Ｂ，１００ＣをＸ方向から見ると、図４に示すとおり、二次点光源２３１Ａ，２３１Ｂ，２３１Ｃ及び微小偏向ミラー２３０Ａ，２３０Ｂ，２３０ＣがＹ方向にずれる。図４では、そのずれを分かり易くするために補助線を引いてある。このように、Ｙ方向の位置を適切にずらせば、次のような効果（１）〜（４）が得られる。
【００７８】
（１）レーザ光ＬＣの微小偏向ミラー２３０Ｂ，２３０Ａにおける蹴られ量を低減できる。
【００７９】
（２）レーザ光ＬＢの微小偏向ミラー２３０Ａにおける蹴られ量を低減できる。
【００８０】
（３）蛍光ＬＣ’の微小偏向ミラー２３０Ａ，２３０Ｂにおける蹴られ量を低減できる。
【００８１】
（４）蛍光ＬＢ’の微小偏向ミラー２３０Ａにおける蹴られ量を低減できる。
【００８２】
その結果、照明検出ユニット１００Ｂ，１００Ｃの光効率は、最大で照明検出ユニット１００Ａの光効率と同等にまで引き上げられる。
【００８３】
因みに、集光レンズ２５の像側におけるから蛍光ＬＡ’，ＬＢ’，ＬＣ’，レーザ光ＬＡ，ＬＢ，ＬＣの拡がり角度は十分に小さい（例えばＮＡ＝０．０２〜０．０３）ので、照明検出ユニット１００Ａ，１００Ｂ，１００Ｃの位置を少し（例えば０．５ｍｍ）ずらしただけで、（１）〜（４）の蹴られ量をゼロにすることができる。
【００８４】
なお、照明検出ユニット１００Ａ，１００Ｂ，１００ＣのＺＹ方向の位置をずらすと、図３下部に示すとおり、レーザ光ＬＡの集光点１０Ａと、レーザ光ＬＢの集光点１０Ｂと、レーザ光ＬＣの集光点１０Ｃとがずれるので、標本Ｓにおけるレーザ光ＬＡの走査範囲と、標本Ｓにおけるレーザ光ＬＢの走査範囲と、標本Ｓにおけるレーザ光ＬＣの走査範囲とがずれる。よって、不図示の制御ユニットは、照明検出ユニット１００Ａで取得したスライス画像と、照明検出ユニット１００Ｂで取得したスライス画像と、照明検出ユニット１００Ｃで取得したスライス画像との少なくとも２つを画像処理により位置補正してもよい。
【００８５】
但し、対物レンズ２６及び集光レンズ２５からなる光学系は拡大系なので、走査範囲のずれ量は、照明検出ユニット１００Ａ，１００Ｂ，１００Ｃのずれ量と比較すると格段に小さい。よって、スライス画像の位置補正は適宜省略することも可能である。
【００８６】
なお、照明検出ユニット１００Ａ，１００Ｂ，１００Ｃのずらし方向は、Ｙ方向ではなくＺ方向であってもよい。或いは、ずらし方向は、ＸＹ平面内の任意の方向であってもよい。
【００８７】
また、第１実施形態では、Ｘ方向における照明検出ユニット１００Ａ，１００Ｂ，１００Ｃの配置可能範囲について言及しなかったが、対物レンズ２６及び集光レンズ２５からなる光学系の収差が悪化しない範囲内（例えば４０ｍｍ程度の範囲内）に制限されることが望ましい。
【００８８】
また、第１実施形態の照明検出ユニット１００Ａは、共焦点絞り２８Ａを備えたが、共焦点絞り２８Ａを省略し、その代わりに微小偏向ミラー２３０Ａのサイズを小さくし、その微小偏向ミラー２３０Ａに共焦点絞りの機能を付与してもよい。但し、その場合、微小偏向ミラー２３０ＡをＸ方向から見たときの形状は、円形に整えられているとよい。
【００８９】
因みに、共焦点絞り２８Ａを省略した場合の照明検出ユニット１００ＡをＸ方向から見ると、図５に示すとおりとなる（照明検出ユニット１００Ａ’）。なお、第１実施形態では、この照明検出ユニット１００Ａ’と同様に、照明検出ユニット１００Ｂ，１００Ｃの何れかを変形してもよい。
【００９０】
また、第１実施形態では、複数の照明検出ユニット１００Ａ，１００Ｂ，１００Ｃの駆動方法について説明しなかったが、手動、電動の何れをも適用可能である。
【００９１】
［第２実施形態］
以下、本発明の第２実施形態を説明する。本実施形態は、共焦点レーザ走査型蛍光顕微鏡システムの実施形態である。ここでは、第１実施形態との相違点のみ説明する。
【００９２】
図６は、本実施形態の顕微鏡システムの構成図である。第１実施形態との相違点は、照明検出ユニット１００Ａの代わりに照明検出ユニット２Ａが備えられ、照明検出ユニット１００Ｂの代わりに照明検出ユニット２Ｂが備えられ、照明検出ユニット１００Ｃの代わりに照明検出ユニット２Ｃが備えられた点にある。
【００９３】
図６に示すとおり、照明検出ユニット２Ａの構成と、照明検出ユニット２Ｂの構成と、照明検出ユニット２Ｃの構成とは、互いに同じである。よって、図６では、互いに同じ要素には同じ番号を付与し、その番号の後ろに照明検出ユニットの識別符号（符号Ａ，Ｂ，Ｃの何れか）を付与した。なお、これら照明検出ユニット２Ａ，２Ｂ，２Ｃの各々は、図５に示した照明検出ユニット１００Ａ’と同様、共焦点絞りを省略したタイプの照明検出ユニットである。
【００９４】
照明検出ユニット２Ａは、非可動部１０１Ａと光ファイバ（シングルモードの光ファイバ）２００Ａとを備え、その光ファイバ２００Ａの先端（ファイバ端２０２Ａ）は、第１実施形態の微小偏向ミラー２３０Ａと同様、集光レンズ２５の光軸上に配置される。このファイバ端２０２Ａと同様に、照明検出ユニット２Ｂの光ファイバ２００Ｂの先端（ファイバ端２０２Ｂ）、及び照明検出ユニット２Ｃの光ファイバ２００Ｃの先端（ファイバ端２０２Ｃ）も集光レンズ２５の光軸上に配置される。
【００９５】
光ファイバ２００Ａ，２００Ｂ，２００Ｃは、各々のファイバ端２０２Ａ，２０２Ｂ，２０２Ｃを集光レンズ２５の側に向けた状態で適当に屈曲しており、それぞれの非可動部１０１Ａ，１０１Ｂ，１０１Ｃを集光レンズ２５の光軸から離れた位置に配置している。光ファイバ２００Ａ，２００Ｂ，２００Ｃをこのように配線することで、レーザ光ＬＢ，ＬＣや蛍光ＬＢ’ＬＣ’（図６参照）の蹴られ量を、第１実施形態のそれと同様に抑えることができる。なお、以上のファイバ端２０２Ａ，２０２Ｂ，２０２Ｃは、第１実施形態の微小偏向ミラー２３０Ａ，２３０Ｂ，２３０Ｃと同じ働きをする。
【００９６】
さて、照明検出ユニット２Ａのレーザ光源１１Ａから射出したレーザ光ＬＡは、集光レンズ２１Ａにより平行光束となり、ダイクロイックミラー２２Ａへ入射する。ダイクロイックミラー２２Ａへ入射したレーザ光ＬＡは、そのダイクロイックミラー２２Ａを反射し、集光レンズ２４Ａへ向かう。集光レンズ２４Ａに入射したレーザ光ＬＡは、光ファイバ２００Ａの一方のファイバ端２０１Ａに集光する。よって、ファイバ端２０１Ａには、レーザ光ＬＡの発光点１１０Ａの像（二次点光源）が形成される。その二次点光源から射出したレーザ光ＬＡは、光ファイバ２００Ａの内部を伝搬してから、光ファイバ２００Ａの他方のファイバ端２０２Ａに三次点光源を形成する。よって、光ファイバ２００Ａは、第１実施形態の照明検出ユニット２Ａにおいて二次点光源を生成する照明光学系（集光レンズ２１Ａ，２４Ａ）と同じ働きをする。
【００９７】
その三次点光源から射出したレーザ光ＬＡは、集光レンズ２５、光スキャナ２９、対物レンズ２６を介して、標本Ｓ中の１点に向けて集光する。その集光点１０Ａは、三次点光源（ファイバ端２０２Ａ）と光学的に共役である。
【００９８】
この状態で光スキャナ２９が駆動されると、レーザ光ＬＡが標本Ｓ上に形成するスポットは、標本Ｓ上を二次元走査する。このときに集光点１０Ａの描く面が、照明検出ユニット２Ａの観察対象面ａである。
【００９９】
標本Ｓのうち、レーザ光ＬＡのスポットでは蛍光色素が励起され、蛍光を発する。その蛍光は、レーザ光ＬＡの光路を逆方向に進行しながら対物レンズ２６、光スキャナ２９、集光レンズ２５を介してファイバ端２０２Ａへ向けて集光する。
【０１００】
ここで、ファイバ端２０２Ａに向けて集光する蛍光のうち、観察対象面ａから離れた面からの光線は光ファイバ２００Ａに入射せず、観察対象面ａに近い面からの光線（蛍光ＬＡ’）のみが光ファイバ２００Ａへ入射できる。そして、このファイバ端２０２Ａのサイズは、ファイバ端２０２Ａが第１実施形態の共焦点絞り２８Ａと同じ働きをするよう、十分に小さく設定されている。
【０１０１】
光ファイバ２００Ａへ入射した蛍光ＬＡ’は、光ファイバ２００Ａの内部を伝搬し、ファイバ端２０１Ａから射出する。ファイバ端２０１Ａから射出した蛍光ＬＡ’は、集光レンズ２４Ａ、ダイクロイックミラー２２Ａを介して光電子増倍管５７Ａへ入射する。
【０１０２】
本実施形態のシステムにも制御ユニット（不図示）が備えられ、その制御ユニットは、第１実施形態における制御ユニットと同様、光スキャナ２９を駆動して前述した二次元走査を行いつつ、その走査期間中に光電子増倍管５７Ａから電気信号を繰り返し取り込む。これによって、蛍光ＬＡ’の射出元となった層ａ’の画像（スライス画像）が取得される。以下、その層ａ’を、「観察対象層ａ’」と称す。
【０１０３】
また、本実施形態の制御ユニットは、照明検出ユニット２Ａの光電子増倍管５７Ａから電気信号を取り込むのと並行して、照明検出ユニット２Ｂ，２Ｃの光電子増倍管５７Ｂ，５７Ｃからも電気信号を取り込む。したがって、本実施形態でも、照明検出ユニット２Ａの観察対象層ａ’のスライス画像と、照明検出ユニット２Ｂの観察対象層ｂ’のスライス画像と、照明検出ユニット２Ｃの観察対象層ｃ’のスライス画像とが同時に取得される。
【０１０４】
ここで、本実施形態では、照明検出ユニット２Ａのファイバ端２０２Ａ、照明検出ユニット２Ｂのファイバ端２０２Ｂ、照明検出ユニット２Ｃのファイバ端２０２Ｃの各々は、その姿勢を保ちつつ集光レンズ２５の光軸方向へ変位可能である。本実施形態では、これらのファイバ端２０２Ａ、２０２Ｂ、２０２Ｃをその方向へ変位させるだけで、標本Ｓにおける観察対象層ａ’，ｂ’，ｃ’の高さ関係が変化する。
【０１０５】
また、照明検出ユニット２Ａのファイバ端２０２Ａは、第１実施形態の照明検出ユニット１００Ａの微小偏向ミラー２３０Ａ、照明光学系（二次点光源２３１Ａ）、共焦点絞り２８Ａと同じ働きをし、照明検出ユニット２Ｂのファイバ端２０２Ｂは、第１実施形態の照明検出ユニット１００Ｂの微小偏向ミラー２３０Ｂ、照明光学系（二次点光源２３１Ｂ）、共焦点絞り２８Ｂと同じ働きをし、照明検出ユニット２Ｃのファイバ端２０２Ｃは、第１実施形態の照明検出ユニット１００Ｃの微小偏向ミラー２３０Ｃ、照明光学系（二次点光源２３１Ｃ）、共焦点絞り２８Ｃと同じ働きをする。
【０１０６】
したがって、本実施形態では、観察対象層ａ’，ｂ’，ｃ’の高さ関係を変化させるための可動部がファイバ端２０２Ａ，２０２Ｂ，２０２Ｃのみであるにも拘わらず、セクショニング効果が損なわれることはない。
【０１０７】
［第２実施形態の変形例］
第２実施形態では、集光レンズ２５から最も離れた光ファイバ２００Ｃの先端を、他の光ファイバ２００Ａ，２００Ｂの先端と同様に屈曲させ、非可動部１０１Ｃの配置箇所を光軸から外したが、光ファイバ２００Ｃは、その背後に蛍光を通過させる必要が無いので、光ファイバ２００Ｃの先端を屈曲させたり、非可動部１０１Ｃの配置箇所を光軸から外したりしなくても構わない。
【０１０８】
また、第２実施形態では、ファイバ端２０２Ａ，２０２Ｂ，２０２Ｃの全てを可動としたが、そのうち１つを非可動としてもよい。その場合、観察対象層ａ’，ｂ’，ｃ’の全体の位置をシフトさせることはできないものの、観察対象層ａ’，ｂ’，ｃ’の位置関係については上述したものと同様に調整することができる。
【０１０９】
また、第２実施形態では、ファイバ端２０２Ａ，２０２Ｂ，２０２ＣのＺＹ方向の位置（集光レンズ２５の光軸と垂直な方向の位置）を揃えたが、第１実施形態における微小偏向ミラー２３０Ａ，２３０Ｂ，２３０Ｃの位置と同様に微小距離ずつずらしてもよい。
【０１１０】
また、ファイバ端２０２Ａ，２０２Ｂ，２０２Ｃの位置をその方向へずらした場合は、照明検出ユニット２Ａで取得したスライス画像と、照明検出ユニット２Ｂで取得したスライス画像と、照明検出ユニット２Ｃで取得したスライス画像との少なくとも２つを画像処理により位置補正してもよい。
【０１１１】
また、第２実施形態では、ファイバ端２０２Ａ，２０２Ｂ，２０２Ｃの配置可能範囲について言及しなかったが、対物レンズ２６及び集光レンズ２５からなる光学系の収差が悪化しない範囲内（例えば４０ｍｍ程度の範囲内）に制限されることが望ましい。
【０１１２】
また、第２実施形態では、複数のファイバ端２０２Ａ，２０２Ｃ，２０２Ｃの駆動方法について言及しなかったが、手動、電動の何れをも適用可能である。
【０１１３】
［第１実施形態又は第２実施形態の変形例］
第１実施形態又は第２実施形態では、複数の照明検出ユニットが個別に射出するレーザ光ＬＡ，ＬＢ，ＬＣの波長が互いに同じであったが、互いに異なっていてもよい。また、少なくとも１つの照明検出ユニットが射出するレーザ光の波長を可変としてもよい。
【０１１４】
また、第１実施形態又は第２実施形態では、照明検出ユニットの個数を３としたが、２に制限してもよい。或いは、４以上に拡張しても構わない。
【図面の簡単な説明】
【０１１５】
【図１】第１実施形態の顕微鏡システムの構成図である。
【図２】照明検出ユニット１００Ａ，１００Ｂ，１００Ｃを図１のＸ方向から見た図である。
【図３】第１実施形態の変形例を示す図である。
【図４】二次点光源２３１Ａ，２３１Ｂ，２３１Ｃのずれ方を説明する図である。
【図５】共焦点絞り２８Ａを省略した場合の照明検出ユニット１００Ａを示す図である。
【図６】第２実施形態の顕微鏡システムの構成図である。
【符号の説明】
【０１１６】
１００・・・照明検出ユニット，２５，２４，２１，２７・・・集光レンズ，２３０…微小偏向ミラー，２３…透明基板，２９・・・二次元の光スキャナ，２６・・・対物レンズ，２６…対物レンズ，Ｓ…標本，２２…ダイクロイックミラー，２８…共焦点絞り，１１…レーザ光源，５７…光電子増倍管，２００…光ファイバ
【図１】
2009198980.tif 000003
【図２】
2009198980.tif 000004
【図３】
2009198980.tif 000005
【図４】
2009198980.tif 000006
【図５】
2009198980.tif 000007
【図６】
2009198980.tif 000008